(57)【要約】      （修正有）【課題】板ばねによってランプ本体を天井に取り付ける際に、天井を傷つけてランプ本体を取り外しにくいという課題を解決する板ばねとランプを提供する。【解決手段】ランプは、ランプ本体と、円周方向に沿って配置されランプ本体と天井の取付穴の内壁との間に当接する少なくとも１つの板ばねと、を含み、ランプ本体の外周に取付耳が凸設され、板ばねは、一端が取付耳に固定される固定セグメント１１と、固定セグメント１１の他端に沿って折り曲げられて延伸する自由セグメント１２と、自由セグメント１２にそれぞれ設けられた両耐ひっかき部１３と、を含み、自由セグメント１２は、固定セグメント１１と背中合わせに設けられ、取付穴の内壁に当接するための当接面１２１と、当接面１２１にそれぞれ隣接し、固定セグメント１１の他端にそれぞれ隣接する両接続辺１２２と、を含み、両耐ひっかき部１３は、両接続辺１２２にそれぞれ設けられ、それぞれ接続辺１２２から当接面１２１を離れる方向へ直線状または曲線状に延伸する。【選択図】図２
0003222877.tif 000002
【実用新案登録請求の範囲】
【請求項１】
取り付け対象部材を取付穴に係合するための板ばねであって、
一端が取り付け対象部材に固定される固定セグメントと、
前記固定セグメントの他端に沿って折り曲げられて延伸する自由セグメントと、
前記自由セグメントにそれぞれ設けられた２つの耐ひっかき部と、を含み、
前記自由セグメントは、
前記固定セグメントとは背中合わせに設けられ、前記取付穴の内壁に当接するための当接面と、
前記当接面にそれぞれ隣接し、かつ前記固定セグメントの他端にそれぞれ隣接する２つの接続辺と、を含み、
２つの前記耐ひっかき部は、２つの前記接続辺にそれぞれ設けられ、それぞれ前記接続辺から前記当接面を離れる方向へ直線状または曲線状に延伸する、ことを特徴とする板ばね。
【請求項２】
前記耐ひっかき部はへーミングであり、前記へーミングは前記接続辺から外向き前記当接面を離れる方向へ直線状に延伸し、前記へーミングと前記自由セグメントとのなす第１角度の範囲は１５°〜５０°である、ことを特徴とする請求項１に記載の板ばね。
【請求項３】
前記耐ひっかき部は円弧辺であり、前記円弧辺は前記接続辺から外向きに前記当接面を離れる方向へ曲線状に延伸し、前記円弧辺は前記自由セグメントに対して接するように設けられ、かつ円弧辺の半径範囲は３ｍｍ〜８ｍｍである、ことを特徴とする請求項１に記載の板ばね。
【請求項４】
前記固定セグメントと自由セグメントとのなす第２角度の範囲は２０°〜６０°であり、
前記固定セグメントは直線状に延伸し、
前記自由セグメントは曲線状に延伸し、前記自由セグメントは当接部および抜け止め部を含み、前記当接部の先端は前記固定セグメントの他端に接続され、前記当接部の末端は前記抜け止め部の先端に接続され、前記当接部は前記固定セグメントに相対して内側に凹んだ円弧線に沿って延伸し、前記抜け止め部は前記固定セグメントに相対して外側に突出した円弧線に沿って延伸し、
前記耐ひっかき部は、曲線状に延伸し、前記当接部の先端に近い位置から前記抜け止め部の末端に近い位置まで延伸し、かつ前記耐ひっかき部の延在曲率は前記当接部および前記抜け止め部の延在曲率とそれぞれ同じである、ことを特徴とする請求項１に記載の板ばね。
【請求項５】
前記自由セグメントは延長部およびかえり部をさらに含み、延長部は前記抜け止め部の末端と前記かえり部との間に接続され、前記延長部は直線状に延伸し、前記かえり部は前記延長部から前記固定セグメントを離反する方向へ直線状に延伸し、
前記固定セグメントの一端には固定部が設けられ、前記固定部には緊締具を係止するための貫通孔が開設される、ことを特徴とする請求項４に記載の板ばね。
【請求項６】
ランプ本体と、円周方向に沿って配置されかつ上記ランプ本体と天井の取付穴の内壁との間に当接する少なくとも１つの板ばねと、を含み、
前記ランプ本体の外周には取付耳が凸設され、
前記板ばねは、
一端が前記取付耳に固定される固定セグメントと、
前記固定セグメントの他端に沿って折り曲げられて延伸する自由セグメントと、
前記自由セグメントにそれぞれ設けられた２つの耐ひっかき部と、を含み、
前記自由セグメントは、
前記固定セグメントとは背中合わせに設けられ、前記取付穴の内壁に当接するための当接面と、
前記当接面にそれぞれ接続され、かつ前記固定セグメントの他端にそれぞれ隣接する２つの接続辺と、を含み、
２つの前記耐ひっかき部は、２つの前記接続辺にそれぞれ設けられ、それぞれ前記接続辺から前記当接面を離れる方向へ直線状または曲線状に延伸する、ことを特徴とするランプ。
【請求項７】
前記耐ひっかき部はへーミングであり、前記へーミングは前記接続辺から外向きに前記当接面を離れる方向へ直線状に延伸し、前記へーミングと前記自由セグメントとのなす第１角度の範囲は１５°〜５０°である、ことを特徴とする請求項６に記載のランプ。
【請求項８】
前記耐ひっかき部は円弧辺であり、前記円弧辺は前記接続辺から外向きに前記当接面を離れる方向へ曲線状に延伸し、前記円弧辺は前記自由セグメントに対して接するように設けられ、かつ前記円弧辺の半径範囲は３ｍｍ〜８ｍｍである、ことを特徴とする請求項６に記載のランプ。
【請求項９】
前記固定セグメントと前記自由セグメントとのなす第２角度の範囲は２０°〜６０°であり、
前記固定セグメントは直線状に延伸し、
前記自由セグメントは曲線状に延伸し、前記自由セグメントは当接部および抜け止め部を含み、前記当接部の先端は前記固定セグメントの他端に接続され、前記当接部の末端は前記抜け止め部の先端に接続され、前記当接部は前記固定セグメントに相対して内側に凹んだ円弧線に沿って延伸し、前記抜け止め部は前記固定セグメントに相対して外側に突出した円弧線に沿って延伸し、
前記耐ひっかき部は、曲線状に延伸し、前記当接部の先端に近い位置から前記抜け止め部の末端に近い位置まで延伸し、かつ前記耐ひっかき部の延在曲率は前記当接部および前記抜け止め部の延在曲率とそれぞれ同じである、ことを特徴とする請求項６に記載のランプ。
【請求項１０】
前記自由セグメントは延長部およびかえり部をさらに含み、延長部は前記抜け止め部の末端と前記かえり部との間に接続され、前記延長部は直線状に延伸し、前記かえり部は前記延長部から前記固定セグメントを離反する方向へ直線状に延伸し、
前記固定セグメントの一端には固定部が設けられ、前記固定部には貫通孔が開設され、
前記取付耳にはネジ孔が開設され、緊締具は前記貫通孔および前記ネジ孔を順次に貫通して係止される、ことを特徴とする請求項９に記載のランプ。
【考案の詳細な説明】
【技術分野】
【０００１】
本考案は、ランプ取り付けの技術分野に属し、より具体的に、板ばねおよびランプに関する。
【背景技術】
【０００２】
ランプを天井に埋め込むことはよく見られる取り付け方法である。ランプはランプ本体および板ばねを含み、ランプ本体は、通常、板ばねによって天井の所定の取付穴内に固定される。取り付ける時に、ランプ本体の両側の板ばねを押圧してランプ本体を天井の取付穴内に送り込んだ後、板ばねを手から離し、板ばねが、弾性的に展開され、天井の頂部に支持することで、ランプ本体を天井に固定する。ランプ本体の外壁の両側の板ばねの弾力が大きいため、特に天井が石膏ボードの材料で作られる場合、板ばねが石膏ボード本体に嵌り込み、石膏ボードの強度を低下し、取り外す過程で石膏ボードを損傷または破損してしまい、取り外しの抵抗力が大きくなり、取り外しにくくなる。
【考案の概要】
【考案が解決しようとする課題】
【０００３】
本考案の目的は、板ばねを提供し、従来技術では板ばねによってランプ本体を天井に取り付ける際に、天井を傷つけてランプ本体を取り外しにくいという技術的課題を解決することを旨とする。
【課題を解決するための手段】
【０００４】
上記目的を達成するために、本考案が採用する技術的解決手段は、取付対象部材を取付穴に係合するための板ばねを提供することであり、上記板ばねは、
一端が取付対象部材に固定されえる固定セグメントと、
上記固定セグメントの他端に沿って折り曲げられて延伸する自由セグメントと、
上記自由セグメントにそれぞれ設けられた２つの耐ひっかき部と、を含み、
上記自由セグメントは、
上記固定セグメントとは背中合わせに設けられ、上記取付穴の内壁に当接するための当接面と、
上記当接面にそれぞれ隣接し、かつ上記固定セグメントの他端にそれぞれ隣接する２つの接続辺と、を含み、
２つの上記耐ひっかき部は、２つの上記接続辺にそれぞれ設けられ、それぞれ上記接続辺から上記当接面を離れる方向へ直線状または曲線状に延伸する。
【０００５】
さらに、上記耐ひっかき部はへーミングであり、上記へーミングは上記接続辺から外向きに且つ、上記当接面を離れる方向へ直線状に延伸し、上記へーミングと上記自由セグメントとのなす第１角度の範囲は１５°〜５０°である。
【０００６】
さらに、上記耐ひっかき部は円弧辺であり、上記円弧辺は上記接続辺から外向きに且つ、上記当接面を離れる方向へ曲線状に延伸し、上記円弧辺は上記自由セグメントに対して接するように設けられ、かつ上記円弧辺の半径範囲は３ｍｍ〜８ｍｍである。
【０００７】
さらに、上記固定セグメントと上記自由セグメントとのなす第２角度の範囲は２０°〜６０°である。
【０００８】
上記固定セグメントは直線状に延伸する。
【０００９】
上記自由セグメントは曲線状に延伸し、上記自由セグメントは当接部および抜け止め部を含み、上記当接部の先端は上記固定セグメントの他端に接続され、上記当接部の末端は上記抜け止め部の先端に接続され、上記当接部は上記固定セグメントに相対して内側に凹んだ円弧線に沿って延伸し、上記抜け止め部は上記固定セグメントに相対して外側に突出した円弧線に沿って延伸する。
【００１０】
上記耐ひっかき部は、曲線状に延伸し、上記当接部の先端に近い位置から上記抜け止め部の末端に近い位置まで延伸し、かつ上記耐ひっかき部の延在曲率は上記当接部および上記抜け止め部の延在曲率とそれぞれ同じである。
【００１１】
さらに、上記自由セグメントは延長部およびかえり部をさらに含み、延長部は上記抜け止め部の末端と上記かえり部との間に接続され、上記延長部は直線状に延伸し、上記かえり部は上記延長部より上記固定セグメントを離反する方向へ直線状に延伸する。
【００１２】
上記固定セグメントの一端には固定部が設けられ、上記固定部には緊締具を係止するための貫通孔が開設される。
【００１３】
本考案はさらにランプを提供し、ランプ本体と、円周方向に配置されかつ上記ランプ本体と天井の取付穴の内壁との間に当接する少なくとも１つの板ばねと、を含み、
上記ランプ本体の外周には取付耳が凸設され、
上記板ばねは、
一端が上記取付耳に固定される固定セグメントと、
上記固定セグメントの他端に沿って折り曲げられて延伸する自由セグメントと、
上記自由セグメントにそれぞれ設けられた２つの耐ひっかき部と、を含み、
上記自由セグメントは、
上記固定セグメントとは背中合わせに設けられ、上記取付穴の内壁に当接するための当接面と、
上記当接面にそれぞれ接続され、かつ上記固定セグメントの他端にそれぞれ隣接する２つの接続辺と、を含む。
【００１４】
２つの上記耐ひっかき部は、２つの上記接続辺にそれぞれ設けられ、それぞれ上記接続辺から上記当接面を離れる方向へ直線状または曲線状に延伸する。
【００１５】
さらに、上記耐ひっかき部はへーミングであり、上記へーミングは上記接続辺から外向きに上記当接面を離れる方向へ直線状に延伸し、上記へーミングと上記自由セグメントとのなす第１角度の範囲は１５°〜５０°である。
【００１６】
さらに、上記耐ひっかき部は円弧辺であり、上記円弧辺は上記接続辺から外向きに上記当接面を離れる方向へ曲線状に延伸し、上記円弧辺は上記自由セグメントに対して接するように設けられ、かつ上記円弧辺の半径範囲は３ｍｍ〜８ｍｍである。
【００１７】
さらに、上記固定セグメントと上記自由セグメントとのなす第２角度の範囲は２０°〜６０°である。
【００１８】
上記固定セグメントは直線状に延伸する。
【００１９】
上記自由セグメントは曲線状に延伸し、上記自由セグメントは当接部および抜け止め部を含み、上記当接部の先端は上記固定セグメントの他端に接続され、上記当接部の末端は上記抜け止め部の先端に接続され、上記当接部は上記固定セグメントに相対して内側に凹んだ円弧線に沿って延伸し、上記抜け止め部は上記固定セグメントに相対して外側に突出した円弧線に沿って延伸する。
【００２０】
上記耐ひっかき部は、曲線状に延伸し、上記当接部の先端に近い位置から上記抜け止め部の末端に近い位置まで延伸し、かつ上記耐ひっかき部の延在曲率は上記当接部および上記抜け止め部の延在曲率とそれぞれ同じである。
【００２１】
さらに、上記自由セグメントは延長部およびかえり部をさらに含み、延長部は上記抜け止め部の末端と上記かえり部との間に接続され、上記延長部は直線状に延伸し、上記かえり部は上記延長部から上記固定セグメントを離反した方向へ直線状に延伸する。
【００２２】
上記固定セグメントの一端には固定部が設けられ、上記固定部には貫通孔が開設される。
【００２３】
上記取付耳にはネジ孔が開設され、緊締具は上記貫通孔および上記ネジ孔を順次貫通して係止される。
【考案の効果】
【００２４】
従来技術と比較して本考案に係る板ばねの有益な効果は以下のとおりである、すなわち、本考案の板ばねは自由セグメントの２つの接続辺に２つの耐ひっかき部をそれぞれ設置し、かつ２つの耐ひっかき部を接続辺より当接面から離れる方向へ直線状または曲線状にそれぞれ延伸させることによって、当接面が取付穴の内壁に当接した時に、２つの接続辺が取付穴の内壁をひっかくことがなく、当該板ばねを用いて取り付け対象部材を着脱する際に、取付穴および取付穴のキャリアを損傷せずに、取付穴から取り付け対象部材を取り外しやすくなる。
【００２５】
本考案の実施例における技術的解決手段をより明確に説明するために、以下、実施例または従来技術における使用される図面を簡単に紹介する。当然のことながら、以下の説明における図面は、本考案のいくつかの実施例に過ぎず、当業者であれば、創造的な工夫をせずに、これらの図面に基づいて他の図面を得ることができる。
【図面の簡単な説明】
【００２６】
【図１】本考案の実施例１によるランプの取付構造を示す概略図である。
【図２】本考案の実施例１による板ばねの構造を示す概略図である。
【図３】図２の板ばねの局所的断面概略図である。
【図４】図２の板ばねの側面概略図である。
【図５】図１のランプの局所的断面概略図である。
【図６】本考案の実施例２による板ばねの構造を示す概略図である。
【考案を実施するための形態】
【００２７】
本考案が解決しようとする技術的課題、技術的解決手段および有益な効果をより明らかにするために、以下、図面および実施例に合わせて本考案をより詳細に説明する。ここで説明される具体的な実施例は本考案を解釈するためのものに過ぎず、本考案を限定するためのものではないことを理解すべきである。
【００２８】
なお、ある部材が別の部材に「固定」または「設定」されると言われる場合、それは別の部材に直接的または間接的に位置すべきである。ある部材が別の部材に「接続」されると言われる場合、それは別の部材に直接的または間接的に接続可能である。
【００２９】
また、「長さ」、「幅」、「上」、「下」、「前」、「後」、「左」、「右」、「鉛直」、「水平」、「頂」、「底」「内」、「外」などの用語によって指示される配向または位置関係は、図面に示された配向または位置関係に基づき、本考案を簡略化するためのものに過ぎず、言及された装置または部材が特定の配向を有し、特定の配向で構築および操作されなければならないことを指示または示唆することを意図しないので、本考案を限定するものと解釈されるべきではない。
【００３０】
また、「第１」、「第２」という用語は説明するためのものに過ぎず、相対的な重要度を指示や示唆するもの、あるいは指示される技術的特徴の数を暗示的に表示するものとして理解できない。これにより、「第１」、「第２」を限定する特徴は、１つ以上の当該特徴を明示的または暗黙的に含み得る。本考案の説明では、特に限定されていない限り、「複数」は２つ以上を意味する。
【００３１】
（実施例１）
図１を参照し、本考案に係る板ばね１について説明する。当該板ばね１は取り付け対象部材を取付穴２００に係合するために用いられ、本実施例において、当該板ばね１はランプ１００を天井の取付穴２００に係合するために用いられ、ランプ１００はランプ管であることが好ましい。なお、本考案の他の実施例において、当該板ばね１を用いて他の構造を取付穴２００に係合することができ、あるいは他のランプを取付穴２００に係合することができ、ここで唯一に限定されない。
【００３２】
図２を参照し、板ばね１は固定セグメント１１、自由セグメント１２および２つの耐ひっかき部１３を含む。固定セグメント１１の一端は取り付け対象部材に固定することができ、自由セグメント１２は固定セグメント１１の他端に沿って折り曲げられて延伸し、２つの耐ひっかき部１３は自由セグメント１２にそれぞれ設けられ、実装時に、自由セグメント１２は取付穴２００の内壁に当接することができ、２つの耐ひっかき部１３は、自由セグメント１２が取付穴２００の内壁をひっかくことを防止することができる。具体的に、自由セグメント１２は当接面１２１および２つの接続辺１２２を有し、当接面１２１は、固定セグメント１１とは背中合わせに設けられ、取付穴２００の内壁に当接するために用いられ、２つの接続辺１２２は、当接面１２１にそれぞれ接続され、かつ固定セグメント１１の他端にそれぞれ隣接し、２つの耐ひっかき部１３は、２つの接続辺１２２にそれぞれ設けられ、かつそれぞれ接続辺１２２から当接面１２１を離れる方向へ直線状または曲線状に延伸する。
【００３３】
実装時に、固定セグメント１１の一端を取り付け対象部材に固定し、次に取り付け対象部材を取付穴２００に入れ、自由セグメント１２の当接面１２１を取付穴２００の内壁に当接させることによって、取り付け対象部材を取付穴２００に係合する。取り外し時、自由セグメント１２の末端を図１の矢印Ａに示す方向へ押圧し、自由セグメント１２を取付穴２００の内壁から取り出すことによって、取り付け対象部材を取付穴２００から取り外す。
【００３４】
本考案に係る板ばね１は、自由セグメント１２の２つの接続辺１２２に耐ひっかき部１３をそれぞれ設置し、かつ２つの耐ひっかき部１３が接続辺１２２から当接面１２１を離れる方向へ直線状または曲線状にそれぞれ延伸させることによって、当接面１２１が取付穴２００の内壁に当接した時に、２つの接続辺１２２が取付穴２００の内壁をひっかくことがないので、当該板ばね１を用いて取り付け対象部材を着脱する際に、取付穴２００および取付穴２００キャリアを損傷せずに、取付穴２００から取り付け対象部材を取り外しやすくなる。
【００３５】
好ましくは、本実施例において、図２および図３を参照し、上記耐ひっかき部１３はへーミング１３１であることが好ましく、へーミング１３１は、接続辺１２２から外向きに当接面１２１を離れる方向へ直線状に延伸し、かつへーミング１３１と自由セグメント１２とのなす第１角度Ａ１は３２°である。本実施例では、接続辺１２２の位置にへーミング１３１を設置し、実装時にへーミング１３１を取付穴２００の内壁に当接させることによって、接続辺１２２が鋭すぎて取付穴２００に嵌り込んで取付穴２００を損傷することを防止する。
【００３６】
好ましくは、本実施例において、取付穴２００の直径が７５ｍｍ〜１５０ｍｍである場合、第１角度Ａ１の範囲は１５°〜５０°であり、かつへーミング１３１の長さ範囲は２ｍｍ〜５ｍｍである。
【００３７】
具体的に、取付穴２００の直径が７５ｍｍである場合、第１角度Ａ１の範囲は１５°〜５０であり、かつへーミング１３１の長さ範囲は２ｍｍ〜３．５ｍｍである。取付穴２００の直径が８５ｍｍである場合、第１角度Ａ１の範囲は１５°〜５０°であり、かつへーミング１３１の長さ範囲は２ｍｍ〜３．５ｍｍである。取付穴２００の直径が１００ｍｍである場合、第１角度Ａ１の範囲は１５°〜５０であり、かつへーミング１３１の長さ範囲は２．５ｍｍ〜４ｍｍである。取付穴２００の直径が１５０ｍｍである場合、第１角度Ａ１の範囲は１５°〜５０であり、かつへーミング１３１の長さ範囲は３ｍｍ〜５ｍｍである。なお、本考案の他の実施例において、取付穴２００および取り付け対象部材の実際の形状や実際のサイズに応じて、上記第１角度Ａ１の範囲およびへーミング１３１の長さ範囲を適切に調整することができ、ここで唯一に限定されない。
【００３８】
好ましくは、本実施例において、上記へーミング１３１と自由セグメント１２とは円弧状の移行部によって接続され、それによって接続辺１２２の鋭さをさらに弱め、接続辺１２２が取付穴２００を損傷することをさらに防止する。
【００３９】
好ましくは、本実施例において、図４を参照し、上記固定セグメント１１と自由セグメント１２とのなす第２角度Ａ２は４０°である。固定セグメント１１は直線状に延伸し、自由セグメント１２は曲線状に延伸する。自由セグメント１２は当接部１２３および抜け止め部１２４を含み、当接部１２３の先端は固定セグメント１１の他端に接続され、当接部１２３の末端は抜け止め部１２４の先端に接続され、当接部１２３は固定セグメント１１に相対して内側に凹んだ円弧線に沿って延伸し、抜け止め部１２４は固定セグメント１１に相対して外側に突出した円弧線に沿って延伸する。耐ひっかき部１３は、曲線状に延伸し、当接部１２３の先端に近い位置から抜け止め部１２４の末端に近い位置まで延伸し、かつ耐ひっかき部１３の延在曲率は当接部１２３および抜け止め部１２４の延在曲率とそれぞれ同じである。本実施例では、自由セグメント１２を当接部１２３および抜け止め部１２４に分割することによって、当接部１２３を取付穴２００の内壁に当接させ、抜け止め部１２４を取付穴２００の一端に当接させることができ、それによって板ばね１が取付穴２００から抜け出さないようにする。
【００４０】
本実施例において、上記固定セグメント１１と自由セグメント１２とのなす第２角度Ａ２は４０°であり、実装時に、固定セグメント１１および自由セグメント１２を取り付け対象部材と取付穴２００の内壁との間に当接させることによって、取り付け対象部材の取付を完了する。なお、本考案の他の実施例において、上記第２角度Ａ２は２０°、３０°、５０°や６０°などであってもよく、第２角度Ａ２が２０°〜６０°であればよいが、ここで唯一に限定されない。
【００４１】
好ましくは、本実施例において、取付穴２００の半径が７５ｍｍ〜１５０ｍｍである場合、上記固定セグメント１１の長さ範囲は２０ｍｍ〜５０ｍｍである。
【００４２】
好ましくは、本実施例において、取付穴２００の半径が７５ｍｍ〜１５０ｍｍである場合、上記当接部１２３の円弧半径範囲は２０ｍｍ〜３０ｍｍである。
【００４３】
好ましくは、本実施例において、取付穴２００の半径が７５ｍｍ〜１５０ｍｍである場合、上記固定セグメント１１および自由セグメント１２の幅範囲は１２ｍｍ〜２０ｍｍである。
【００４４】
さらに、本実施例において、図４を参照し、上記自由セグメント１２は延長部１２５およびかえり部１２６をさらに含み、延長部１２５は抜け止め部１２４の末端とかえり部１２６との間に接続され、延長部１２５は直線状に延伸し、かえり部１２６は延長部１２５から固定セグメント１１を離反する方向へ直線状に延伸し、かつかえり部１２６と延長部１２５とのなす第３角度Ａ３は８９°である。
【００４５】
さらに、本実施例において、図４を参照し、上記固定セグメント１１の一端には固定部１４が設けられ、固定部１４には緊締具を係止するための貫通孔１４０が開設され、固定部１４は平板状であり、固定部１４にはさらにバッフル板１５が鉛直方向に延伸している。
【００４６】
好ましくは、本実施例において、上記バッフル板１５、固定部１４、固定セグメント１１、当接部１２３、抜け止め部１２４、延長部１２５およびかえり部１２６は順次接続され、かつバッフル板１５、固定部１４、固定セグメント１１、当接部１２３、抜け止め部１２４、延長部１２５およびかえり部は同じ幅を有し、バッフル板１５、固定部１４、固定セグメント１１、当接部１２３、抜け止め部１２４、延長部１２５およびかえり部は弾性によって一体的に形成される。
【００４７】
本考案は、ランプ本体２および２つの板ばね１を含むランプ１００をさらに提供する。本実施例において、上記ランプ１００はランプ管であり、上記ランプ本体２は筒体であることが好ましいが、なお、本考案の他の実施例において、上記ランプ１００は他の円形ランプであってもよいが、ここで唯一に限定されない。
【００４８】
２つの板ばね１はランプ本体２の外周に対称に配置され、２つの板ばね１はランプ本体２と天井の取付穴２００の内壁との間にそれぞれ当接される。
【００４９】
具体的に、図１を参照し、ランプ本体２の外周には取付耳２１が凸出して設けられる。板ばね１は、固定セグメント１１、自由セグメント１２および２つの耐ひっかき部１３を含む。固定セグメント１１の一端が取付耳２１に固定することができ、自由セグメント１２は固定セグメント１１の他端に沿って折り曲げられて延伸し、２つの耐ひっかき部１３は自由セグメント１２にそれぞれ設けられ、実装時に、自由セグメント１２は取付穴２００の内壁に当接することができ、２つの耐ひっかき部１３は、自由セグメント１２が取付穴２００の内壁をひっかくことを防止することができる。具体的に、自由セグメント１２は当接面１２１および２つの接続辺１２２を有し、当接面１２１は固定セグメント１１と背中合わせに設けられ、２つの接続辺１２２は当接面１２１にそれぞれ接続され、かつ固定セグメント１１の他端にそれぞれ隣接し、２つの耐ひっかき部１３は、２つの接続辺１２２にそれぞれ設けられ、かつそれぞれ接続辺１２２から当接面１２１を離れる方向へ直線状または曲線状に延伸する。
【００５０】
実装時に、固定セグメント１１の一端に取付耳２１を固定し、次いでランプ１００を取付穴２００に入れ、自由セグメント１２の当接面１２１を取付穴２００の内壁に当接させることによって、ランプ１００を取付穴２００に係合する。取り外し時、自由セグメント１２の末端を固定セグメント１１から離れる方向へ押圧し、自由セグメント１２を取付穴２００の内壁から取り出すことによってランプ１００を取付穴２００から取り外す。
【００５１】
好ましくは、本実施例において、上記取付穴２００のキャリアは天井であり、天井の材料は木質ボードまたは石膏ボードであってもよい。当該ランプ１００を天井に取り付ける時、ランプ１００は天井を傷つけず、着脱しやすい。
【００５２】
本実施例において、上記ランプ１００は２つの板ばね１を含む。なお、本考案の他の実施例において、実装の状況および特定の要件に応じて、上記ランプ１００は１つ、３つおよび３つ以上の板ばね１を含み、かつ各板ばね１がランプ１００の円周方向に沿って配置されてもよいが、ここで唯一に限定されない。
【００５３】
本実施例において、図２および図３を参照し、上記耐ひっかき部１３はへーミング１３１であることが好ましく、へーミング１３１は、接続辺１２２から外向きに当接面１２１を離れる方向へ直線状に延伸し、かつへーミング１３１と自由セグメント１２とのなす第１角度Ａ１は３２°である。本実施例では、接続辺１２２の位置にへーミング１３１を設置し、実装時にへーミング１３１を取付穴２００の内壁に当接させることによって、接続辺１２２が鋭すぎて取付穴２００に嵌り込んで取付穴２００を損傷することを防止する。
【００５４】
好ましくは、本実施例において、取付穴２００の直径が７５ｍｍ〜１５０ｍｍである場合、第１角度Ａ１の範囲は１５°〜５０°であり、かつへーミング１３１の長さ範囲は２ｍｍ〜５ｍｍである。
【００５５】
具体的に、取付穴２００の直径が７５ｍｍである場合、第１角度Ａ１の範囲は１５°〜５０°であり、かつへーミング１３１の長さ範囲は２ｍｍ〜３．５ｍｍである。取付穴２００の直径が８５ｍｍである場合、第１角度Ａ１の範囲は１５°〜５０°であり、かつへーミング１３１の長さ範囲は２ｍｍ〜３．５ｍｍである。取付穴２００の直径が１００ｍｍである場合、第１角度Ａ１の範囲は１５°〜５０°であり、かつへーミング１３１の長さ範囲は２．５ｍｍ〜４ｍｍである。取付穴２００の直径が１５０ｍｍである場合、第１角度Ａ１の範囲は１５°〜５０°であり、かつへーミング１３１の長さ範囲は３ｍｍ〜５ｍｍである。なお、本考案の他の実施例において、取付穴２００および取り付け対象部材の実際の形状や実際のサイズに応じて、上記第１角度Ａ１の範囲およびへーミング１３１の長さ範囲を適切に調整することができ、ここで唯一に限定されない。
【００５６】
好ましくは、本実施例において、上記へーミング１３１と自由セグメント１２とは円弧状の移行部によって接続され、それによって接続辺１２２の鋭さをさらに弱め、接続辺１２２が取付穴２００を損傷することをさらに防止する。
【００５７】
好ましくは、本実施例において、図４を参照し、上記固定セグメント１１と自由セグメント１２とのなす第２角度Ａ２は４０°である。固定セグメント１１は直線状に延伸し、自由セグメント１２は曲線状に延伸する。自由セグメント１２は当接部１２３および抜け止め部１２４を含み、当接部１２３の先端は固定セグメント１１の他端に接続され、当接部１２３の末端は抜け止め部１２４の先端に接続され、当接部１２３は固定セグメント１１に相対して内側に凹んだ円弧線に沿って延伸し、抜け止め部１２４は固定セグメント１１に相対して外側に突出した円弧線に沿って延伸する。耐ひっかき部１３は、曲線状に延伸し、当接部１２３の先端に近い位置から抜け止め部１２４の末端に近い位置まで延伸し、かつ耐ひっかき部１３の延在曲率は当接部１２３および抜け止め部１２４の延在曲率とそれぞれ同じである。本実施例では、自由セグメント１２を当接部１２３および抜け止め部１２４に分割することによって、当接部１２３を取付穴２００の内壁に当接させ、抜け止め部１２４を取付穴２００の一端に当接させ、抜け止め部１２４を天井に当接させることができ、それによって板ばね１が取付穴２００から抜け出さないようにする。
【００５８】
本実施例において、上記固定セグメント１１と自由セグメント１２とのなす第２角度Ａ２は４０°であり、実装時に、固定セグメント１１および自由セグメント１２をランプ１００と取付穴２００の内壁との間に当接させることによってランプ１００の取付を完了する。なお、本考案の他の実施例において、上記第２角度Ａ２は２０°、３０°、５０°や６０°などであってもよく、第２角度が２０°〜６０°であればよいが、ここで唯一に限定されない。
【００５９】
好ましくは、本実施例において、取付穴２００の半径が７５ｍｍ〜１５０ｍｍである場合、上記固定セグメント１１の長さ範囲は２０ｍｍ〜５０ｍｍである。
【００６０】
好ましくは、本実施例において、取付穴２００の半径が７５ｍｍ〜１５０ｍｍである場合、上記当接部１２３の円弧半径範囲は２０ｍｍ〜３０ｍｍである。
【００６１】
好ましくは、本実施例において、取付穴２００の半径が７５ｍｍ〜１５０ｍｍである場合、上記固定セグメント１１および自由セグメント１２の幅範囲は１２ｍｍ〜２０ｍｍである。
【００６２】
さらに、本実施例において、図４を参照し、上記自由セグメント１２は延長部１２５およびかえり部１２６をさらに含み、延長部１２５は抜け止め部１２４の末端とかえり部１２６との間に接続され、延長部１２５は直線状に延伸し、かえり部１２６は延長部１２５から固定セグメント１１を離反する方向へ直線状に延伸し、かつかえり部１２６と延長部１２５とのなす第３角度Ａ３は８９°である。本実施例では、延長部１２５を設置することによって、自由セグメント１２を取付穴２００に取り付けた後、その突出部は、板ばね１を取付穴２００から取り外しやすい程度に長さである。なお、かえり部１２６を設置することによって、人の手が直接かえり部１２６を引っ掛けた後、自由セグメント１２を固定セグメント１１方向へ押圧してから、板ばね１を取付穴２００から取り外す。
【００６３】
さらに、本実施例において、図５を参照し、上記固定セグメント１１の一端には固定部１４が設けられ、固定部１４には貫通孔１４０が開設され、固定部１４は平板状であり、固定部１４にはさらにバッフル板１５が鉛直方向に延伸している。取付耳２１にはネジ孔２１０が開設され、緊締具４は貫通孔１４０およびネジ孔２１０を順次貫通してナット５によって係止される。
【００６４】
好ましくは、本実施例において、上記バッフル板１５、固定部１４、固定セグメント１１、当接部１２３、抜け止め部１２４、延長部１２５およびかえり部１２６は順次接続され、かつバッフル板１５、固定部１４、固定セグメント１１、当接部１２３、抜け止め部１２４、延長部１２５およびかえり部は同じ幅を有し、バッフル板１５、固定部１４、固定セグメント１１、当接部１２３、抜け止め部１２４、延長部１２５およびかえり部は弾性によって一体的に形成される。
【００６５】
（実施例２）
本実施例に係る板ばね１の技術的特徴は実施例１による板ばね１の技術的特徴と基本的に同じであり、その相違点として、本実施例において、図６を参照し、上記耐ひっかき部１３は円弧辺１３２であり、円弧辺は接続辺１２２から外向きに当接面１２１を離れる方向へ曲線状に延伸し、かつ円弧辺１３２は自由セグメント１２に対して接するように設けられる。本実施例では、接続辺１２２の位置に円弧辺１３２を設置し、実装時に円弧辺１３２を取付穴２００の内壁に当接させることによって、接続辺１２２が鋭すぎて取付穴２００に嵌り込んで取付穴２００を損傷することを防止する。
【００６６】
好ましくは、本実施例において、取付穴２００の直径が７５ｍｍ〜１５０ｍｍである場合、円弧辺１３２の半径範囲は３ｍｍ〜８ｍｍであり、かつ円弧辺１３２の長さ範囲は２ｍｍ〜５ｍｍである。
【００６７】
具体的に、取付穴２００の直径が７５ｍｍである場合、円弧辺１３２の半径範囲は３ｍｍ〜８ｍｍであり、かつ円弧辺１３２の長さ範囲は２ｍｍ〜３．５ｍｍである。取付穴２００の直径が８５ｍｍである場合、円弧辺１３２の半径範囲は３ｍｍ〜８ｍｍであり、かつ円弧辺１３２の長さ範囲は２ｍｍ〜３．５ｍｍである。取付穴２００の直径が１００ｍｍである場合、円弧辺１３２の半径範囲は３ｍｍ〜８ｍｍであり、かつ円弧辺１３２の長さ範囲は２．５ｍｍ〜４ｍｍである。取付穴２００の直径が１５０ｍｍである場合、円弧辺１３２の半径範囲は３ｍｍ〜８ｍｍであり、かつ円弧辺１３２の長さ範囲は３ｍｍ〜８ｍｍである。なお、本考案の他の実施例において、取付穴２００および取り付け対象部材の実際の形状や実際のサイズに応じて、上記円弧辺１３２の半径範囲および長さ範囲を適切に調整することもでき、ここで唯一に限定されない。
【００６８】
上記は本考案の好ましい実施例に過ぎず、本考案を限定するものではなく、本考案の精神および原則においてなされたあらゆる変更、等価取替及び改良などは、本考案の保護範囲に含まれるはずである。
【符号の説明】
【００６９】
１００  ランプ
２００  取付穴
１  板ばね
２  ランプ本体
４  緊締具
５  ナット
１１  固定セグメント
１２  自由セグメント
１３  耐ひっかき部
１４  固定部
１５  バッフル板
２１  取付耳
１２１  当接面
１２２  接続辺
１２３  当接部
１２４  抜け止め部
１２５  延長部
１２６  かえり部
１３１  へーミング
１３２  円弧辺
１４０  貫通孔
２１０  ネジ孔
Ａ１  第１角度
Ａ２  第２角度
Ａ３  第３角度
【図１】
0003222877.tif 000003
【図２】
0003222877.tif 000004
【図３】
0003222877.tif 000005
【図４】
0003222877.tif 000006
【図５】
0003222877.tif 000007
【図６】
0003222877.tif 000008